(57)【要約】【課題】所望の貼り付け対象部位に貼り付けた状態で使用する際に、シート体が容易に捲れたり、あるいは脱落するようなことを適切に防止することができ、利便性に優れた粘着剤付きシートを提供する。【解決手段】粘着剤付きシートＳ１は、可撓性を有するシート体１と、このシート体１の片面１０に分散して設けられた複数の粘着剤層２と、を備えている。好ましくは、各粘着剤層２は、再剥離性を有している。シート体１は、片面１０が内側となるように折り畳み状態とされ、複数の粘着剤層２は、折り畳みの折り線ＦＬを中心線とする非対称状の配置に設けられていることにより、前記折り畳み状態において互いに接触しないように構成されている。【選択図】  図１
2018062543.tif 000002
【特許請求の範囲】
【請求項１】
可撓性を有するシート体と、
このシート体の片面に分散して設けられた複数の粘着剤層と、
を備えていることを特徴とする、粘着剤付きシート。
【請求項２】
請求項１に記載の粘着剤付きシートであって、
前記各粘着剤層は、再剥離性を有しており、
前記シート体は、前記片面が内側となるように折り畳み状態とされており、
前記複数の粘着剤層は、前記折り畳みの折り線を中心線とする非対称状の配置に設けられていることにより、前記折り畳み状態において互いに接触しないように構成されている、粘着剤付きシート。
【請求項３】
請求項１または２に記載の粘着剤付きシートであって、
前記シート体は、紙製であり、
テーブル用ナプキン、エプロン、または便座カバーシートとして構成されている、粘着剤付きシート。
【発明の詳細な説明】
【技術分野】
【０００１】
本発明は、たとえばテーブル用ナプキンなどとして用いることが可能な粘着剤付きシートに関する。
【背景技術】
【０００２】
従来の粘着剤付きシートの具体例として、特許文献１に記載のものがある。
同文献に記載の粘着剤付きシートは、矩形状に形成された可撓性を有する紙製のシート体の１箇所に、粘着剤層が設けられ、かつこの粘着剤層が離型紙（セパレータ）によって覆われた構成である。
このような構成によれば、離型紙を粘着剤層から剥離させることにより、この粘着剤層を利用してシート体を使用者の衣服に貼り付け、テーブル用ナプキンとして用いることが可能である。シート体は、粘着剤層を介して使用者の衣服に接着されるため、シート体が脱落することを抑制可能である。
【０００３】
しかしながら、前記従来技術においては、次に述べるように、改善すべき余地があった。
【０００４】
すなわち、粘着剤層はシート体の１箇所に設けられているに過ぎない。このため、シート体をテーブル用ナプキンとして衣服に貼り付けて使用する際に、シート体の広い範囲が衣服から離間した状態となって、捲れてしまう場合がある。これでは、使用者の衣服を適切にカバーできず、衣服が汚れる事態が生じ易い。シート体が柔軟性に劣る紙製である場合には、より捲れ易くなる。また、粘着剤層が１箇所のみであると、この粘着剤層の部分が衣服から剥離した場合に、シート体の全体が衣服から即座に脱落するといった不具合もある。
【先行技術文献】
【特許文献】
【０００５】
【特許文献１】特許第５８０５３４０号公報
【発明の概要】
【発明が解決しようとする課題】
【０００６】
本発明は、前記したような事情のもとで考え出されたものであって、所望の貼り付け対象部位に貼り付けた状態で使用する際に、シート体が容易に捲れたり、あるいは脱落するようなことを適切に防止することができ、利便性に優れた粘着剤付きシートを提供することを、その課題としている。
【課題を解決するための手段】
【０００７】
上記の課題を解決するため、本発明では、次の技術的手段を講じている。
【０００８】
本発明により提供される粘着剤付きシートは、可撓性を有するシート体と、このシート体の片面に分散して設けられた複数の粘着剤層と、を備えていることを特徴としている。
【０００９】
本発明によれば、シート体の複数箇所に分散して粘着剤層が設けられているため、粘着剤層が１箇所のみ設けられていた特許文献１とは異なり、シート体を衣服などの貼り付け対象部位に貼り付けて使用する際に、シート体の各所が容易に捲れたり、あるいはシート体が不用意に脱落するといった不具合を適切に解消することが可能である。
【００１０】
本発明において、好ましくは、前記各粘着剤層は、再剥離性を有しており、前記シート体は、前記片面が内側となるように折り畳み状態とされており、前記複数の粘着剤層は、前記折り畳みの折り線を中心線とする非対称状の配置に設けられていることにより、前記折り畳み状態において互いに接触しないように構成されている。
【００１１】
このような構成によれば、次のような効果が得られる。
第１に、各粘着剤層は、再剥離性を有しているため、貼り付け対象部位へのシート体の貼り直しを行なうことが可能である。これは、シート体の位置調整を行なったり、あるいは衣服などからシート体を一時的に取り外すような場合に便利となる。
第２に、シート体は折り畳み状態とされているため、全体の嵩張りを解消し、保管あるいは携帯などに際して便利なものとすることができる。
第３に、シート体を折り畳んだ状態においては、複数の粘着剤層どうしが互いに接触しない構成であるため、粘着剤層どうしが接着してシート体を広げることが困難になるといったことを適切に防止することができる。
第４に、シート体を折り畳んだ状態においては、各粘着剤層をシート体の他の部分に接触させることにより、各粘着剤層を保護し、各粘着剤層の粘着性を長期間にわたって保持させることも可能である。特許文献１においては、離型紙（セパレータ）を用いて粘着剤層を覆っているが、本発明の前記構成によれば、そのような離型紙を不要とし、粘着剤付きシート全体の製造コストを廉価にすることが可能である。
【００１２】
本発明において、好ましくは、前記シート体は、紙製であり、テーブル用ナプキン、エプロン、または便座カバーシートとして構成されている。
【００１３】
このような構成によれば、紙製のシート体を利用した簡易な構成のテーブル用ナプキン、エプロン、または便座カバーシートを、廉価に提供することができる。
【００１４】
本発明のその他の特徴および利点は、添付図面を参照して以下に行なう発明の実施の形態の説明から、より明らかになるであろう。
【図面の簡単な説明】
【００１５】
【図１】（ａ）は、本発明に係る粘着剤付きシートの一例を示す斜視図であり、（ｂ）は、（ａ）のＩ−Ｉ要部断面図であり、（ｃ）は、（ａ）の平面図である。
【図２】（ａ）は、図１に示す粘着剤付きシートを四つ折り状態とした例を示す斜視図であり、（ｂ）は、（ａ）のII−II断面図である。
【図３】（ａ）は、図１に示す粘着剤付きシートを二つ折りする状態を示す斜視図であり、（ｂ）は、（ａ）の平面説明図であり、（ｃ）は、（ｂ）のIII−III要部断面図である。
【図４】図３に示す二つ折り状態の粘着剤付きシートを図２に示す四つ折り状態にする操作を示す斜視図である。
【図５】図１に示す粘着剤付きシートの製造工程（一部の工程）の例を示す斜視図である。
【図６】図２に示す四つ折り状態の粘着剤付きシートをケースに収容して保管する例を示す斜視図である。
【図７】（ａ）は、図１に示す粘着剤付きシートの一使用例を示す要部正面図であり、（ｂ）は、他の使用例を示す斜視図である。
【図８】（ａ）は、本発明に係る粘着剤付きシートの他の例を示す要部斜視図であり、（ｂ）は、（ａ）のVIIIb−VIIIb断面図であり、（ｃ）は、（ａ）のVIIIc−VIIIc断面図である。
【図９】図８に示す粘着剤付きシートの非折り畳み状態を示す斜視図である。
【図１０】（ａ）は、図９に示す粘着剤付きシートを二つ折りする状態を示す斜視図であり、（ｂ）は、（ａ）のXb−Xb断面図である。
【図１１】図１０に示す二つ折り状態の粘着剤付きシートを図８に示す四つ折り状態にする操作を示す斜視図である。
【図１２】図８に示す四つ折り状態の粘着剤付きシートをケースに収容して保管する例を示す斜視図である。
【図１３】（ａ）は、本発明に係る粘着剤付きシートの他の例を示す要部斜視図であり、（ｂ）は、（ａ）のXIII−XIII断面図である。
【図１４】図１３に示す粘着剤付きシートの製造工程の例を示す斜視図である。
【図１５】図１３に示す粘着剤付きシートをつづら折り状とした例を示す斜視図である。
【図１６】（ａ）は、図１３に示す粘着剤付きシートのケースへの収容状態およびその取り出し状態の例を示す斜視図であり、（ｂ）は、（ａ）のXVI−XVI概略断面図である。
【図１７】（ａ）は、本発明に係る粘着剤付きシートの他の例を示す正面図であり、（ｂ）は、その使用状態の説明図である。
【図１８】図１７（ａ）に示す粘着剤付きシートの二つ折り状態を示す正面図であり、（ｂ）は、四つ折り状態を示す正面図である。
【図１９】本発明に係る粘着剤付きシートの他の例を示す説明図である。
【発明を実施するための形態】
【００１６】
以下、本発明の好ましい実施の形態について、図面を参照して具体的に説明する。
【００１７】
図１に示す粘着剤付きシートＳ１は、図７を参照して後述するように、テーブル用ナプキンとして用いられるものであり、矩形状のシート体１と、このシート体１の片面１０（図１における上面）に設けられた複数の粘着剤層２とを備えている。
シート体１は、可撓性を有する比較的軟質の紙製であり、縦・横の長さは、たとえばそれぞれ２７〜３０cm程度である。
【００１８】
複数の粘着剤層２は、再剥離性（接着後に剥離することができ、さらに再度の接着が可能な特性）を有する粘着剤層であり、たとえばセメダイン株式会社のＢＢＸ（登録商標）などの湿気反応型弾性粘着剤を液体の状態でシート体１の片面１０に塗布することにより形成されたものである。これら複数の粘着剤層２は、円形またはこれに類する形状のドット状とされ、かつ互いに適当な間隔を隔てた散点状の配置に設けられている。好ましくは、複数の粘着剤層２は、シート体１の片面１０の各所に余り大きな偏りのないように設けられるが、シート体１の外周縁寄りの領域には、ある程度の数の粘着剤層２が適当な間隔で存在するように設けられ、粘着剤付きシートＳ１をテーブル用ナプキンとして用いる場合に、シート体１の外周縁寄りの領域が容易に捲れない構成とされている。
【００１９】
図１（ｃ）に示すように、複数の粘着剤層２は、シート体１の左右方向に延びる中心線ＣＬを挟み、上下非対称の配置に設けられている。より具体的には、中心線ＣＬよりも上側の第１のシート片部１ａに設けられている複数の粘着剤層２と、中心線ＣＬよりも下側の第２のシート片部１ｂに設けられている複数の粘着剤層２とは、左右方向に適当な寸法Ｌａだけ位置ずれしている。このことにより、後述するように、シート体１を二つ折りした際に、粘着剤層２どうしが接触しないようになっている。
【００２０】
図２に示す粘着剤付きシートＳ１”（Ｓ１）は、前記した粘着剤付きシートＳ１を、後述する作業工程によって、四つ折り状態としたものである。粘着剤付きシートＳ１は、広げたままではサイズが大きく、また粘着剤層２が露出した状態のままであるため、これを解消すべくたとえば四つ折り状態で使用者に提供される。ただし、粘着剤付きシートＳ１が四つ折り状態とされることは、本発明の必須要件ではなく、この点についてはさらに後
述する。
【００２１】
粘着剤付きシートＳ１を前記した四つ折り状態にするには、まず図３に示すように、二つ折り状態の粘着剤付きシートＳ１’（Ｓ１）を作製する。この場合、図１（ｃ）で示した中心線ＣＬを折り線ＦＬとする。このことにより、第１のシート片部１ａと第２のシート片部１ｂとのそれぞれに設けられている複数の粘着剤層２どうしが接触しないようにすることができる。各粘着剤層２の表面部は、シート体１の片面１０に接触することとなる。シート体１の片面１０がかなりの粗面であると、この粗面に対して粘着剤層２の表面部が比較的強く接着し、容易に剥離し難くなる虞がある。これを回避するための手段として、シート体１の片面１０のうち、少なくとも粘着剤層２の表面部が接触する箇所については、平滑な面とし、あるいはシリコーン樹脂などの樹脂コーティングが施された面とし、離型性をもたせておく手段を採用することができる。
前記した二つ折り状態の粘着剤付きシートＳ１’（Ｓ１）を作製した後には、図４に示すように、折り線ＦＬの位置で粘着剤付きシートＳ１’（Ｓ１）をさらに二つ折りする。このことにより、図２に示した四つ折り状態の粘着剤付きシートＳ１（Ｓ１”）が得られる。
【００２２】
前記したような粘着剤付きシートＳ１は、たとえば図５に示すような工程を経て製造することが可能である。
すなわち、図５に示すように、巻取ロールＲ１から、紙製の長尺状シート１Ａを繰り出し、この長尺状シート１Ａの上面に、複数の粘着剤層２を設けるための粘着剤層塗装工程を実行する。その下流側においては、長尺状シート１Ａを二つ折り状とする二つ折り工程を実行し、さらにその下流側においては、長尺状シート１Ａを所定長さのシート１に切断する切断工程を実行する。このことにより、図３に示した粘着剤付きシートＳ１’（Ｓ１）を複数枚順次製造することが可能である。したがって、その後は図４に示した折り工程をさらに実行することにより、図２に示した四つ折り状態の粘着剤付きシートＳ１（Ｓ１”）を製造することができる。
【００２３】
次に、前記した粘着剤付きシートＳ１の使用例ならびに作用について説明する。
【００２４】
まず、四つ折り状態の粘着剤付きシートＳ１（Ｓ１”）は、たとえば図６に示すように、適当なケース３内に複数並べた状態で収容させておくことができる。粘着剤付きシートＳ１が四つ折り状態であれば、全体の嵩張りを抑え、体裁の良い状態でケース３内に収容させることが可能である。このことにより、粘着剤付きシートＳ１が収容されたケース３を、たとえばレストランのテーブル上に載置し、レストランの客が粘着剤付きシートＳ１を使用し得るようにセッティングする場合、テーブル上の見栄えを良くすることが可能である。粘着剤付きシートＳ１のシート体１としては、様々な色彩、あるいは模様を付しておき、見栄えをさらに良好なものとすることも可能である。
【００２５】
粘着剤付きシートＳ１は、図７（ａ），（ｂ）に示すように広げた状態（図１に示した非折り畳み状態）に設定すると、通常のテーブル用ナプキンとして用いることが可能であり、その際複数の粘着剤層２を使用者の衣服に接着させることができる。このため、シート体１が不用意に捲れることや、使用者の胸元や膝上から落ちるようなことを適切に防止することが可能であり、使用者の衣服が汚れないようにすることが可能である。
【００２６】
一方、図６に示したように、粘着剤付きシートＳ１が折り畳まれた状態で保管されていれば、粘着剤層２は、外部に露出した状態にはなく、粘着剤層２が保護される。粘着剤層２を覆うための離型紙（セパレータ）を別途用いる必要はない。したがって、そのような離型紙を別途用いる必要がない分だけ、粘着剤付きシートＳ１の製造コストを廉価にすることが可能であるとともに、省資源化を図ることができる。さらに、シート体１は、紙製
であるため、その材料費や加工費も廉価とし、粘着剤付きシートＳ１の製造コストを一層低減することが可能である。
【００２７】
図８〜図１９は、本発明の他の実施形態を示している。これらの図において、前記実施形態と同一または類似の要素には、前記実施形態と同一の符号を付しており、重複説明は省略する。
【００２８】
図８に示す粘着剤付きシートＳ１ａ（Ｓ１a"）は、図２に示した四つ折り状態の粘着剤付きシートＳ１"に近似した構成であるが、シート体１のうち、上下両側に位置する２つの外側片１１ａよりも、これらの間に挟まれている２つの内側片１１ｂの方が、適当な寸法Ｌｂだけ長いサイズとされている。すなわち、２つの内側片１１ｂは、２つの外側片１１ａよりも寸法Ｌｂだけ外方に突出した突出片部１２を有している。
【００２９】
本実施形態の粘着剤付きシートＳ１ａ（Ｓ１a"）は、たとえば図９〜図１１に示すような工程を経て作製される。すなわち、図９は、非折り畳み状態の粘着剤付きシートＳ１ａを示しており、このシートＳ１ａは、シート体１の片面に複数の粘着剤層２が縦横に並んで設けられている。これら複数の粘着剤層２は、たとえばシート体１の中心線ＣＬを中心とする線対称の配置である。もちろん、図１（ｃ）に示した構成と同様に、複数の粘着剤層２どうしを非対称状に設けてもよい。図１０は、図９の粘着剤付きシートＳ１ａを二つ折りした状態を示している。同図においては、中心線ＣＬから寸法Ｌｂだけオフセットされた位置を折り線ＦＬとしており、このことによりシート体１の第１および第２のシート片部１ａ，１ｂのそれぞれの幅は、寸法Ｌｂだけ相違したものとなる。図１１は、図１０に示した粘着剤付きシートＳ１ａをさらに二つ折りにする状態を示し、このことにより図８に示した粘着剤付きシートＳ１ａ（Ｓ１a"）が作製される。
【００３０】
図１２は、前記した粘着剤付きシートＳ１ａ（Ｓ１a"）を、ケース３に収容させた状態の一例を示している。好ましくは、粘着剤付きシートＳ１ａ（Ｓ１a"）は、突出片部１２が上側となる向きでケース３に収容されている。
【００３１】
本実施形態によれば、２つの内側片１１ｂは、２つの外側片１１ａよりも適当な寸法Ｌｂだけ長くされ、内側片１１ｂと外側片１１ａとのそれぞれの先端縁どうしは、不揃い状態となっている。このため、折り畳み状態の粘着剤付きシートＳ１ａ（Ｓ１a"）を非折り畳み状態に展開させる際には、内側片１１ｂと外側片１１ａとを指先でしっかりと摘まむことができ、それらを容易に剥離させ易くなる効果が得られる。また、図９に示したように、複数の粘着剤層２を線対称に設けた場合であっても、シート体２を二つ折りした際には、それら粘着剤層２どうしが互いに接触しないようにすることが可能である。
【００３２】
図１３に示す粘着剤付きシートＳ２は、二つ折り状とされた長尺状のシート体１Ａと、このシート体１Ａに形成された複数の切取り線４とを有している。複数の切取り線４は、シート体１Ａの分断を容易にするための部位であって、シート体１Ａの短手方向に延びるミシン目線、あるいはこれに類するスリットなどであり、シート体１Ａの長手方向に一定間隔で設けられている。この粘着剤付きシートＳ２は、長尺状である点、および複数の切取り線４を有している点を除けば、図３に示した粘着剤付きシートＳ１と同様な構成であり、複数の粘着剤層２を有している。
【００３３】
本実施形態の粘着剤付きシートＳ２は、たとえば図１４に示すように、巻取ロールＲ１から長尺状シート１Ａを繰り出し、この長尺状シート１Ａに粘着剤層２の塗着工程、二つ折り工程、および切取り線形成工程を順次実行することにより製造することが可能である。この製造工程は、図５に示した前述の製造工程と比較すると、長尺状シート１Ａを切断するか否か、切取り線４を形成するか否かの点において相違しているが、これ以外は共通
するものである。
【００３４】
粘着剤付きシートＳ２は、たとえば図１５に示すように、各切取り線４の位置で折り返され、つづら折り状の粘着剤付きシートＳ２とされる。その上で、図１６に示すように、取り出し用の開口部３０を有するケース３Ａ内に収容され、その保管・収容などが図られる。
【００３５】
このような構成によれば、つづら折り状の粘着剤付きシートＳ２の一部を、ケース３Ａの開口部３０から引き出し、かつこの引き出された部分を切取り線４の位置で切断させることにより、図１に示した粘着剤付きシートＳ１を二つ折りした形態のもの、すなわち図３の粘着剤付きシートＳ１’（Ｓ１）を得ることができる。したがって、この粘着剤付きシートＳ１’（Ｓ１）を広げることにより、図７と同様に、テーブル用ナプキンとして適切に利用することが可能である。
なお、長尺状の粘着剤付きシートＳ２は、つづら折り状に形成することに代えて、たとえば図１９を参照して後述するものと同様な巻取ロールタイプのものとし、その保管・収容などを図ることもできる。
【００３６】
図１７に示す粘着剤付きシートＳ３は、便座カバーシートとして用いるためのものであり、中央部に開口部１９を有し、かつ便器６の便座６０を覆うのに適する形状およびサイズに形成されたシート体１と、このシート体１の片面１０に設けられた複数の粘着剤層２とを備えている。複数の粘着剤層２は、開口部１９を囲むように配置されている。好ましくは、シート体１は、水溶性の紙製とされ、使用後には便器６内に破棄することが可能な材質とされる。粘着剤層２についても、環境汚染（水質汚染）や便器６の配管詰まりの原因にならないように、たとえば溶剤を用いないタイプなどのものとされる。
【００３７】
複数の粘着剤層２は、シート体１の中心線ＣＬを挟んで左右非対称状の配置とされている。このことにより、図１８（ａ）に示すように、粘着剤付きシートＳ３を二つ折り状態とした際には、粘着剤層２どうしが接触しないようにされている。このような二つ折り状態によれば、先に述べた実施形態と同様に、粘着剤層２を離型紙によって覆う必要をなくすことが可能である。図１８（ｂ）に示すように、粘着剤付きシートＳ３をさらに折り畳み、全体を四つ折り状態、あるいはそれ以上の折り数の折り畳み状態とすれば、全体を小サイズにすることができ、多数の粘着剤付きシートＳ３をトイレの棚などにコンパクトな状態で備え付けておく上で、便利となる。
【００３８】
本実施形態の粘着剤付きシートＳ３は、便座６０の上面を覆うのに用いられるが、複数の粘着剤層２を介して便座６０に接着させることができる。このため、使用者が便座６０に座る際に、粘着剤付きシートＳ３が不用意に位置ずれするようなことを適切に防止することが可能である。使用者は、粘着剤付きシートＳ３が位置ずれしないように手で押さえておく必要はなく、便利である。
【００３９】
図１９に示す粘着剤付きシートＳ４は、図１８（ａ）に示した二つ折り状態の複数の粘着剤付きシートＳ３が、ミシン目線などの切取り線４を介して一連に繋がった長尺状とされている。この粘着剤付きシートＳ４は、たとえばロール状に巻き取られた巻取ロールタイプとされており、一般的なペーパタオルと同様に、たとえばケース３Ｂ内に収容された状態で、その保管・収容などが図られる。
【００４０】
本実施形態においては、ケース３Ｂから粘着剤付きシートＳ４の一部を引き出してから、切取り線４の位置で切断することにより、図１８（ａ）で示した二つ折り状態の粘着剤付きシートＳ３が得られる。これを広げれば、図１７を参照して説明したように、便座カバーシートとして使用することができ、複数の粘着剤層２を利用した位置ずれ防止効果が
得られる。
なお、長尺状の粘着剤付きシートＳ４は、前記した巻取ロールタイプとすることに代えて、図１５および図１６に示したもののように、つづら折りタイプとして、その保管・収容などを図ることもできる。
【００４１】
本発明は、上述した実施形態の内容に限定されない。本発明に係る粘着剤付きシートの各部の具体的な構成は、種々に設計変更自在である。
【００４２】
上述の実施形態においては、本発明に係る粘着剤付きシートを、テーブル用ナプキン、または便座カバーシートとして構成した場合を具体例として説明したが、これ以外として、たとえばエプロンなどとして構成することも可能であり、その具体的な使用態様なども限定されない。たとえば、図１に示した粘着剤付きシートは、従来のペーパタオルの代替品として使用することも可能である。
【００４３】
シート体は、コストの低減化を促進する観点からすると、紙製とすることが好ましいものの、やはりこれに限定されず、たとえば不織布製、樹脂製、異種のフィルムを積層させたラミネートシートなどとすることもできる。また、紙製とする場合、再生紙に代えて、パルプ１００％紙を用いることも可能であり、テーブルナプキンの場合には、後者の材質が望まれる。
粘着剤層は、好ましくは、再剥離性を有するものとされるが、やはりこれに限定されず、再剥離性を有しないたとえば感圧式の粘着剤を用いることもできる。シート体を二つ折り以上に折り畳むことにより、粘着剤層が外部に露出しないようにして、離型紙を用いないようにすることが好ましいものの、離型紙を用いて粘着剤層を覆う方式を採用することも可能である。シート体は、必ずしも折り畳まれた状態になくてもよい他、シート体を折り畳む場合には、二つ折りや四つ折りなどに限定されず、具体的な折り数も限定されない。また、シート体を折り畳むような場合、複数のシート体を積層させたかたちで樹脂製フィルムなどを用いて携帯用ティシュのような形態およびサイズに包装し、ユーザが旅行先やその他の箇所に携帯するのに適する包装体とすることも可能である。
【００４４】
粘着剤層は、互いに離間するようにして複数箇所設けられていればよく、その具体的な数や配置態様も限定されない。各粘着剤層の具体的な形状も、円形またはこれに近い形状のドット状に限定されず、たとえば矩形、長円、あるいはリング状などのドット状の他、ライン状（直線状、曲線状）などの非ドット状にすることもできる。各粘着剤層のサイズ（面積）も、とくに限定されない。また、複数の粘着剤層の形状やサイズは、同一に揃えられていなくてもよく、形状やサイズが相違する複数種類の粘着剤層が設けられていてもよい。
【符号の説明】
【００４５】
Ｓ１〜Ｓ４  粘着剤付きシート
１  シート体
１０  片面（シート体の）
２  粘着剤層
【図１】
2018062543.tif 000003
【図２】
2018062543.tif 000004
【図３】
2018062543.tif 000005
【図４】
2018062543.tif 000006
【図５】
2018062543.tif 000007
【図６】
2018062543.tif 000008
【図７】
2018062543.tif 000009
【図８】
2018062543.tif 000010
【図９】
2018062543.tif 000011
【図１０】
2018062543.tif 000012
【図１１】
2018062543.tif 000013
【図１２】
2018062543.tif 000014
【図１３】
2018062543.tif 000015
【図１４】
2018062543.tif 000016
【図１５】
2018062543.tif 000017
【図１６】
2018062543.tif 000018
【図１７】
2018062543.tif 000019
【図１８】
2018062543.tif 000020
【図１９】
2018062543.tif 000021